(57)【要約】      （修正有）【課題】ハードディスクの冷却作用を向上する冷却流導を有するハードディスク冷却構造を提供する。【解決手段】コンピューターシャーシを主体とし、シャーシの前端下部には、収容槽を有し、収容槽は箱体を収容することに用い、箱体は、複数のハードディスクを収容し、箱体底部は接続ユニットを有し、接続ユニット上には複数の平行に配列した接続インターフェイスを有し、電気接続およびハードディスクの位置固定に用い、この時、複数のハードディスクは接続インターフェイス上に挿入された後、その複数のハードディスクも平行に配列され、２つのハードディスクの間に隙間を形成し、実質的な冷却流動を形成し、自然対流方式によりシャーシ内部に進入する空気を提供しハードディスクの発生する動作熱を持ち去るようにし、ハードディスクの冷却効率が向上する。【選択図】図３
0003127790.tif 000002
【実用新案登録請求の範囲】
【請求項１】
コンピューターシャーシ１を有するハードディスクの冷却作用を有するハードディスク冷却構造であって、
前記コンピューターシャーシ１に収容槽１１を設け、
前記シャーシ１の該収容槽１１中に箱体２を設置し、前記箱体２の底部には接続ユニット４を有し、前記接続ユニット４上には複数の接続インターフェイス４１を設けてなり、ハードディスク３を電気接続することに用いてなる前記箱体２とを含むものであり、
前記の複数のハードディスク３が、順に前記接続インターフェイス４１の後部に接続し、任意の２つのハードディスク３の間に隙間５を形成し、ハードディスク３が発生する作動熱により熱を帯びた空気が形成された後に隙間５を経由して外部に排出し、外部の冷却した空気が前記箱体２内に進入し、自然対流を形成することを特徴とするハードディスク冷却構造。
【請求項２】
前記箱体２の後端に複数の貫通溝２３を設けてなり、貫通溝２３が任意の２つのハードディスクが形成する隙間５に対応してなることを特徴とする請求項１記載のハードディスク冷却構造。
【考案の詳細な説明】
【技術分野】
【０００１】
本考案は、冷却構造に関し、特に、ハードディスク冷却作用を有するハードディスク冷却構造に関する。
【背景技術】
【０００２】
高度科学技術の盛んな発展に伴い、半導体製造工程および電子パッケージ技術の進歩に加え、電子部材は既に高密度、高エネルギーおよび小体積の方向へ発展し、電子部材は、運用過程において、どれも大量の動作熱を発生することを回避できず、これらの大量に動作熱を発生する電子部材が正常な動作温度で運用させ、同時に電子部材が大量の動作熱の影響の下で使用寿命および安定性が低下することを防ぐために、適切な冷却対策が重要な解決のカギとなっている。
【０００３】
特に、コンピュータ内部は、多種の異なる電子部材が同一シャーシ内部に集合し、マザーボード、電源供給器およびハードディスク等を含み、上記の構成部材が、動作時にどれも大量の熱源を発生し、従って、従来技術において最も良く見る手段は、ファンを直接的に発熱する電子部材上に実装し、ファンの翼が回転することにより電子部材が周期的に空気を高速に流動させると同時に、電磁部材が発生する熱源を持ち去り、電子部材の冷却作用を達成する。
【０００４】
シャーシ内部におけるファンは、簡単かつ迅速な冷却装置であるが、一般的に、ファンの冷却作用は、特定の電子部材に対してのみ働き、ファンを設置していない電子部材は冷却作用の補助を得ることができておらず、特にハードディスクは、現在コンピュータ内部拡張の便利性によって、使用者のハードディスクに対する要求が満たされ、従ってコンピュータ内部に複数のハードディスク有することは珍しくない状況である。
【０００５】
コンピュータの限られた空間内でハードディスクの拡張量を増加させるために、多数のハードディスクの拡張方式は、ハードディスクを直立させるかまたは平行に配列する方式であり、ハードディスク後部に接続インターフェイスを設置し、ハードディスクの解体を補助し、ここに挙げる構造設計は限られた空間内を最も効果的に運用しているが、ハードディスクが動作している時に発生する動作熱は大きな障害を形成している。
【０００６】
コンピュータ内部の空間は有限であるため、ファンを加えるまたはその他の冷却構造によりハードディスクの冷却を補助することは非常に困難であり、コンピュータ内部の自然対流が非常に重要であり、ハードディスク後部の接続インターフェイスが障害となり、ハードディスク収容領域に密閉環境を形成し、ハードディスクが発生する作用熱を自然対流により外部に排出させることができず、密封された温度上昇環境を形成し、ハードディスクの動作の安定性および使用寿命に容易に影響を及ぼし、ハードディスクの冷却の問題は重視しなければならなくなっている。
【０００７】
【特許文献１】特開２００５−３２２３０６号公報
【考案の開示】
【考案が解決しようとする課題】
【０００８】
本考案は、元のハードディスク接続ユニットを箱体底部に設置すると同時に、２つのハードディスクの間に形成される隙間に合わせて空気が自然対流によりハードディスク周囲に進入できるようにし、隙間が実質的に冷却流導を形成するようにするとともに、ハードディスクが発生する動作熱を持ち去り、ハードディスクの冷却作用を向上する冷却流導を有するハードディスク冷却構造を提供することを目的とする。
【課題を解決するための手段】
【０００９】
上記課題を解決するため、請求項１の考案は、コンピューターシャーシ１を有するハードディスクの冷却作用を有するハードディスク冷却構造であって、前記コンピューターシャーシ１に収容槽１１を設け、前記シャーシ１の該収容槽１１中に箱体２を設置し、前記箱体２の底部には接続ユニット４を有し、前記接続ユニット４上には複数の接続インターフェイス４１を設けてなり、ハードディスク３を電気接続することに用いてなる前記箱体２とを含むものであり、前記の複数のハードディスク３が、順に前記接続インターフェイス４１の後部に接続し、任意の２つのハードディスク３の間に隙間５を形成し、ハードディスク３が発生する作動熱により熱を帯びた空気が形成された後に隙間５を経由して外部に排出し、外部の冷却した空気が前記箱体２内に進入し、自然対流を形成することを特徴とするハードディスク冷却構造である。
請求項２の考案は、前記箱体２の後端に複数の貫通溝２３を設けてなり、貫通溝２３が任意の２つのハードディスクが形成する隙間５に対応してなることを特徴とする請求項１記載のハードディスク冷却構造である。
【００１０】
すなわち、本考案が提供するハードディスク冷却構造は、コンピューターシャーシを主体とし、シャーシの前端下部には、収容槽を有し、収容槽は箱体を収容することに用い、箱体は、複数のハードディスクを収容することに用い、箱体底部は接続ユニットを有し、接続ユニット上には複数の平行に配列した接続インターフェイスを有し、電気接続およびハードディスクの位置固定に用い、この時、複数のハードディスクは接続インターフェイス上に挿入された後、その複数のハードディスクも平行に配列され、２つのハードディスクの間に隙間を形成し、実質的な冷却流動を形成し、自然対流方式によりシャーシ内部に進入する空気を提供しハードディスクの発生する動作熱を持ち去るようにしている。
【考案の効果】
【００１１】
本考案のハードディスク冷却構造によれば、元のハードディスク接続ユニットを箱体底部に設置すると同時に、２つのハードディスクの間に形成される隙間に合わせて空気が自然対流によりハードディスク周囲に進入できるようにし、隙間が実質的に冷却流導を形成するようにするとともに、ハードディスクが発生する動作熱を持ち去り、ハードディスクの冷却作用が向上する冷却流導が形成される。
【考案を実施するための最良の形態】
【００１２】
本考案のハードディスク冷却構造の好適な実施例を図面に沿って説明する。
図１および図２は、本考案の実施例の立体構造正面図および背面図であり、本考案の実施例のハードディスク実装構造は、コンピューターシャーシ１を主体とし、シャーシ１の前端下部には収容槽１１を開設し、収容槽１１はシャーシ１の殻体が周囲に設置されてなり、収容増の両側の殻体には、それぞれ固定レバー１２を有し、収容増１１の底部両側面には、それぞれスライダー１３（図２参照）が設けられ、最後に、収容槽１１の後端の両側面には、それぞれストッパー１４を設けてなるシャーシ１上には箱体２を有し、１つ以上の保存ユニット３を収容することに用い、本実施例中の保存ユニットはハードディスクであり、そのうち、箱体２はシャーシ１に設置される収容槽１１中に設置され、箱体２の前端には、把手２１を設けてなり、箱体２を引き出すことに用いられ、また、箱体２の両側面上には、それぞれ弧形状のスライド溝２２を設けてなるとともに、スライド溝２２は、それぞれ収容槽１１上の固定レバー１２を収容し、箱体２の底部両側面はスライダー１３上に跨いで設置し、箱体２が前後に移動する作用を有するようにし、また、箱体背面には、複数の平行に配列する貫通溝２３を設けてなり、最後に、箱体２の底部上に、接続ユニット４を有し、インターフェイス４上には、複数の平行に配列する接続インターフェイス４１を有し、電気接続および保存ユニット３の固定に用いてなる。
【００１３】
図３および図４は、本考案の実施例の操作説明図であり、図より分かるように、使用者が、コンピュータ内部の保存ユニット３を増設または交換しようとする時、把手２１により箱体２を引くことができ、この時、箱体２は両側面のスライド溝２２を連動し、底部に合わせてスライド溝１３に沿って滑動し、使用者が箱体２を引く時、箱体２外部に向かって傾斜を形成し、図４に示すように、箱体２の上部を外部に向かって開き、使用者が箱体２底部に設置される接続ユニット４により、接続インターフェイス４１を通して保存ユニット３に接続し、コンピューターシャーシ１内部の電子部材と電気接続を形成し（公知の技術であるため、詳細の記載を省略する）、同時に複数の保存ユニット３が、それぞれ各接続インターフェイス４１に接続した後、２つの保存ユニット間に隙間５を形成し、同時に隙間５は箱体２上の貫通溝２３に対応する；使用者が保存ユニット３を増加した後、把手２１を経由して箱体２をコンピューターシャーシ１の収容槽１１内部に押し戻し、スライド溝２２の連動を経由し、箱体２を収容槽１１後端のストッパー１４まで近づけ、箱体２の位置を固定する。
【００１４】
図５を参照すると、空気が自然対流方式により箱体２内部の隙間５に進入し、箱体２内に設置される保存ユニット３が動作時に発生する熱量と空気が熱交換後に熱を得た空気を形成し、自然対流の方式を経由して各隙間５から上に向かってまたは後部に向かう対流により箱体２を出て（図に示す矢印の方向が空気の流動である）、熱量２を保存ユニット３の周囲に持ち去り、外部の冷たい空気が隙間５から保存ユニット３の周囲に進入し循環状態を形成し、隙間５が実質的に冷却流導を形成し、保存ユニット３の冷却作用が向上する。
【００１５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１６】
【図１】本考案の実施例の立体構造正面図である。
【図２】本考案の実施例の立体構造背面図である。
【図３】本考案の実施例の操作説明図（１）である。
【図４】本考案の実施例の操作説明図（２）である。
【図５】本考案の実施例の空気流動の説明図である。
【符号の説明】
【００１７】
１ パソコンシャーシ
１１ 収容槽
１２ 固定レバー
１３ スライダー
１４ ストッパー
２ 箱体
２１ 把手
２２ スライド溝
２３ 貫通溝
３ 保存ユニット
４ 接続ユニット
４１ 接続インターフェイス
５ 隙間
【図１】
0003127790.tif 000003
【図２】
0003127790.tif 000004
【図３】
0003127790.tif 000005
【図４】
0003127790.tif 000006
【図５】
0003127790.tif 000007